(57)【要約】      （修正有）【課題】収容される物品に対する包装用シートの保護性能を向上させる。【解決手段】包装用シート１は、物品１０が配置される配置部２と、配置部２から延伸して設けられ、配置部２の一方の面側に向けて折り畳まれた状態で配置部２との間に物品１０を収容する収容部を形成する第１から第４の折畳部３、４，５，６と、を備え、第１折畳部３は、隣り合って設けられた第２折畳部４の折り線を含む直線から離間した位置で第２折畳部側の辺が配置部２と接続され、第２折畳部４の折り線における第１折畳部側の端部に、第２折畳部４を折り畳む際に配置部２と第２折畳部４との間に向けて折り畳まれる重畳部７が設けられる。【選択図】図１
2018150078.tif 000002
【特許請求の範囲】
【請求項１】
包装用シートであって、
物品が配置される配置部と、
前記配置部から延伸して設けられ、前記配置部の一方の面側に向けて折り畳まれた状態で前記配置部との間に前記物品を収容する収容部を形成する第１から第４の折畳部と、を備え、
前記第１折畳部は、隣り合って設けられた前記第２折畳部の折り線を含む直線から離間した位置で前記第２折畳部側の辺が前記配置部と接続され、
前記第２折畳部の前記折り線における前記第１折畳部側の端部に、前記第２折畳部を折り畳む際に前記配置部と前記第２折畳部との間に向けて折り畳まれる重畳部が設けられる、
包装用シート。
【請求項２】
請求項１に記載の包装用シートであって、
前記第１折畳部は、隣り合って設けられた前記第３折畳部の折り線を含む直線から離間した位置で前記第３折畳部側の辺が前記配置部と接続され、
前記第３折畳部の前記折り線における前記第１折畳部側の端部に、前記第３折畳部を折り畳む際に前記配置部と前記第３折畳部との間に向けて折り畳まれる重畳部が設けられる、
包装用シート。
【請求項３】
請求項１に記載の包装用シートであって、
前記重畳部は、前記第１折畳部の折り線を含む直線よりも前記第１折畳部側に突出して設けられる、
包装用シート。
【請求項４】
請求項１から３のいずれか１つに記載の包装用シートであって、
前記第４折畳部は、前記配置部の前記第１折畳部とは反対側に設けられる、
包装用シート。
【請求項５】
物品が配置される配置部と、
前記配置部から延伸して設けられ、前記配置部の一方の面側に向けて折り畳まれた状態で前記配置部との間に前記物品を収容する収容部を形成する第１から第４の折畳部と、を備え、
前記第１折畳部は、隣り合って設けられた前記第２折畳部の折り線を含む直線から離間した位置で前記第２折畳部側の辺が前記配置部と接続され、
前記第２折畳部の前記折り線における前記第１折畳部側の端部に、前記第２折畳部を折り畳む際に前記配置部と前記第２折畳部との間に向けて折り畳まれる重畳部が設けられる包装用シートの使用方法であって、
前記第１折畳部を前記配置部の一方の面側に向けて折り畳んだ後に、前記第２折畳部を前記配置部の前記一方の面側に向けて折り畳む、
包装用シートの使用方法。
【発明の詳細な説明】
【技術分野】
【０００１】
本発明は、包装用シート及びその使用方法に関する。
【背景技術】
【０００２】
特許文献１には、厚みが少ない物品を収容する包装ケースが開示されている。
【０００３】
上記の包装ケースは、素材を特定の形状に打ち抜いた一枚のシートで構成され、物品を包むように折り畳むことで内部に物品が収容される。
【先行技術文献】
【特許文献】
【０００４】
【特許文献１】特開２００４−１４９１９４号公報
【発明の概要】
【発明が解決しようとする課題】
【０００５】
上記の包装ケースのように一枚のシートを折り畳んで物品を包装すると、折り畳まれた部分が物品に対して重なった状態となる。このため、外部から衝撃を受けた場合は、収容された物品に衝撃が伝わりやすく、物品を痛めることが考えられる。
【０００６】
本発明は、収容される物品に対する包装用シートの保護性能を向上させることを目的とする。
【課題を解決するための手段】
【０００７】
本発明のある態様によれば、包装用シートであって、物品が配置される配置部と、前記配置部から延伸して設けられ、前記配置部の一方の面側に向けて折り畳まれた状態で前記配置部との間に前記物品を収容する収容部を形成する第１から第４の折畳部と、を備え、前記第１折畳部は、隣り合って設けられた前記第２折畳部の折り線を含む直線から離間した位置で前記第２折畳部側の辺が前記配置部と接続され、前記第２折畳部の前記折り線における前記第１折畳部側の端部に、前記第２折畳部を折り畳む際に前記配置部と前記第２折畳部との間に向けて折り畳まれる重畳部が設けられる、包装用シートが提供される。
【０００８】
また、本発明の別の態様によれば、物品が配置される配置部と、前記配置部から延伸して設けられ、前記配置部の一方の面側に向けて折り畳まれた状態で前記配置部との間に前記物品を収容する収容部を形成する第１から第４の折畳部と、を備え、前記第１折畳部は、隣り合って設けられた前記第２折畳部の折り線を含む直線から離間した位置で前記第２折畳部側の辺が前記配置部と接続され、前記第２折畳部の前記折り線における前記第１折畳部側の端部に、前記第２折畳部を折り畳む際に前記配置部と前記第２折畳部との間に向けて折り畳まれる重畳部が設けられる包装用シートの使用方法であって、前記第１折畳部を前記配置部の一方の面側に向けて折り畳んだ後に、前記第２折畳部を前記配置部の前記一方の面側に向けて折り畳む、包装用シートの使用方法が提供される。
【発明の効果】
【０００９】
これらの態様によれば、第２折畳部を折り畳む際に配置部と第２折畳部との間に向けて重畳部が折り畳まれるので、折り畳まれた重畳部が元に戻ろうとする復元力により第２折畳部が持ち上げられ、収容された物品と第２折畳部との間に空間が確保される。これによれば、外部からの衝撃を第２折畳部で吸収できる。よって、収容される物品に対する包装用シートの保護性能が向上する。
【図面の簡単な説明】
【００１０】
【図１】本発明の実施形態に係る包装用シートを示す図である。
【図２】包装用シートで物品を包装する手順のステップＳ１からステップＳ３について説明するための図である。
【図３】包装用シートで物品を包装する手順のステップＳ４について説明するための図である。
【図４】包装用シートで物品を包装する手順のステップＳ５からステップＳ７について説明するための図である。
【図５】図４の矢視Ｖであって、包装用シートに物品が収容された状態を示す図である。
【発明を実施するための形態】
【００１１】
以下、添付図面を参照しながら本発明の実施形態に係る包装用シート１について説明する。
【００１２】
包装用シート１は、折り畳まれた状態で内部に物品１０を収容する包装用紙であって（図５参照）、いわゆる厚紙を素材として形成される。物品１０は、例えば、食品が外装材に真空状態で封入されたパッケージ等である。なお、包装用シート１の素材は、紙以外とすることもでき、例えば、合成樹脂のシート等であってもよい。
【００１３】
包装用シート１は、図１に示すように、物品１０を包装する際に物品１０が配置される配置部２と、配置部２から延伸して設けられる第１から第４の折畳部３〜６と、を備える。
【００１４】
第２折畳部４及び第３折畳部５は、第１折畳部３と隣り合って設けられ、第４折畳部６は、配置部２の第１折畳部３とは反対側に設けられる。
【００１５】
より詳しくは、本実施形態の配置部２は略矩形に形成されており、第１から第４の折畳部３〜６は、配置部２の主要な４つの辺からそれぞれ異なる方向に延伸して設けられる。
【００１６】
第１から第４の折畳部３〜６は、配置部２に物品１０を配置した状態で、配置部２の物品１０が配置された面側に向けて折り畳まれることで、配置部２との間に物品１０を収容する収容部２０（図５参照）を形成する。
【００１７】
図１の点線は、包装用シート１で物品１０を包装する際に各部が折り畳まれる位置、すなわち折り線を示している。折り線は、例えば、印刷により包装用シート１に示してもよいし、ミシン目や圧痕を設けることで示してもよい。また、折り線を包装用シート１に示さないようにしてもよい。
【００１８】
第１折畳部３には、三角形に切り抜かれた窓部３ａが形成されており、包装用シート１で物品１０を包装した後に物品１０を視認できるようになっている。
【００１９】
第１折畳部３は、第２折畳部４側の辺３ｂが、第２折畳部４の折り線４ａを含む直線から離間した位置で配置部２と接続される。また、第３折畳部５側の辺３ｃが、第３折畳部５の折り線５ａを含む直線から離間した位置で配置部２と接続される。
【００２０】
第２折畳部４は、第４折畳部６側に頂点を有する三角形状とされる。
【００２１】
第２折畳部４の折り線４ａにおける第１折畳部３側の端部には、第２折畳部４を折り畳む際に配置部２と第２折畳部４との間に向けて折り畳まれる重畳部７が設けられる。
【００２２】
つまり、重畳部７は、配置部２の物品１０が配置される面側からみて、その中央を通る折り線７ａで山折りされ、重畳部７と配置部２との間の折り線７ｂ及び重畳部７と第２折畳部４との間の折り線７ｃで谷折りされる構成である。
【００２３】
第３折畳部５は、第４折畳部６側に頂点を有する三角形状とされる。
【００２４】
第３折畳部５の折り線５ａにおける第１折畳部３側の端部には、第３折畳部５を折り畳む際に配置部２と第３折畳部５との間に向けて折り畳まれる重畳部８が設けられる。
【００２５】
つまり、重畳部８は、配置部２の物品１０が配置される面側からみて、その中央を通る折り線８ａで山折りされ、重畳部８と配置部２との間の折り線８ｂ及び重畳部７と第３折畳部５との間の折り線８ｃで谷折りされる構成である。
【００２６】
上述したように、本実施形態では、第１折畳部３の第２折畳部４側の辺３ｂが、第２折畳部４の折り線４ａを含む直線から離間した位置で配置部２と接続され、第１折畳部３の第３折畳部５側の辺３ｃが、第３折畳部５の折り線５ａを含む直線から離間した位置で配置部２と接続されている。これにより、重畳部７、８を設けることが可能となる。
【００２７】
第４折畳部６は、第２折畳部４の折り線４ａを含む直線よりも第２折畳部４側に延伸する帯部６ｂと、第３折畳部５の折り線５ａを含む直線よりも第３折畳部５側に延伸する帯部６ｃと、を有する。
【００２８】
帯部６ｂは、折り線６ｄで折り畳んで用いられる。また、帯部６ｃは、折り線６ｅで折り畳んで用いられる。帯部６ｂ、６ｃについては後述する。
【００２９】
続いて、図２から図４を参照しながら包装用シート１で物品１０を包装する手順について説明する。なお、図２から図４では、物品１０は図示していない。
【００３０】
まず、図２にステップＳ１として矢印で示すように、第１折畳部３を、配置部２に配置された物品１０を覆うように折り線３ｄで折り畳む。
【００３１】
続いて、重畳部７を折り線７ａ〜７ｃで折り畳みながら第２折畳部４を折り線４ａで折り畳み（ステップＳ２）、さらに、重畳部８を折り線８ａ〜８ｃで折り畳みながら第３折畳部５を折り線５ａで折り畳む（ステップＳ３）。なお、図２は、第３折畳部５を折り畳んでいる途中の状態、つまり、ステップＳ３の作業中の状態を示している。
【００３２】
なお、第２折畳部４と第３折畳部５とは、折り畳む順番を入れ替えてもよい。
【００３３】
また、第２折畳部４及び第３折畳部５は、上述したように、第４折畳部６側に頂点を有する三角形状とされ、第２折畳部４及び第３折畳部５を折り畳んだ状態において、第１折畳部３の窓部３ａが塞がれないようになっている。
【００３４】
続いて、図３に示すように、第４折畳部６を折り線６ａで折り畳む（ステップＳ４）。
【００３５】
続いて、図４に示すように、第４折畳部６の帯部６ｂ、６ｃを、配置部２の物品１０が配置される面とは反対の面側に折り線６ｄ、６ｅで折り畳む（ステップＳ５、ステップＳ６）。
【００３６】
そして、帯部６ｂ、６ｃに亘ってラベル９を貼付して（ステップＳ７）、物品１０の包装が完了する。ラベル９には、例えば、物品１０に関する情報等を印字することができる。
【００３７】
本実施形態では、図３に示すように、第１から第４の折畳部３〜６のうち最後に折り畳まれる第４折畳部６によって、先に折り畳まれた第１から第３の折畳部３〜５の一部が覆われる。よって、帯部６ｂ、６ｃが分離しないようにラベル９を帯部６ｂ、６ｃに亘って１か所に貼付するだけで、物品１０が包装用シート１により包装された状態を維持できる。
【００３８】
なお、ラベル９を貼付することに代えて、例えば、帯部６ｂ、６ｃに、互いに係止可能なスリットを設け、帯部６ｂ、６ｃを折り畳んだ後にこれらを係止させることで、帯部６ｂ、６ｃが分離しないようにしてもよい。
【００３９】
続いて、図５を参照しながら、包装用シート１を上記のように構成することの効果について説明する。
【００４０】
上述した手順で包装用シート１によって物品１０を包装すると、図５に示すように、第１から第４の折畳部３〜６によって配置部２との間に形成された収容部２０に、物品１０が収容された状態となる。
【００４１】
ここで、第２折畳部４は、折り畳まれた重畳部７が元に戻ろうとする復元力（矢印）により持ち上げられて、第１折畳部３に対して浮き上がった状態となる。
【００４２】
第３折畳部５も同様に、折り畳まれた重畳部８が元に戻ろうとする復元力（矢印）により持ち上げられて、第１折畳部３に対して浮き上がった状態となる。
【００４３】
つまり、第２折畳部４及び第３折畳部５と収容部２０に収容された物品１０との間に空間が確保されることになる。これによれば、外部から衝撃受けた場合は、第２折畳部４及び第３折畳部５で衝撃を吸収できるので、収容される物品１０に伝わる衝撃を低減できる。
【００４４】
なお、本実施形態の包装用シート１は、第２折畳部４の折り線４ａにおける第１折畳部３側の端部に設けられた重畳部７と、第３折畳部５の折り線５ａにおける第１折畳部３側の端部に設けられた重畳部８と、を有する。
【００４５】
これによれば、第２折畳部４が第１折畳部３に対して浮き上がる部分と第３折畳部５が第１折畳部３に対して浮き上がる部分とが重複する範囲が少ないので、より広い範囲において、第２折畳部４及び第３折畳部５と収容部２０に収容された物品１０との間に空間を確保できる。よって、物品１０の包装形態をコンパクトにしつつ衝撃を吸収する効果を広い範囲に発生させることができる。
【００４６】
なお、外部からの衝撃を吸収する効果は、重畳部７、８のうちいずれか１つを設ければ得ることができる。
【００４７】
また、本実施形態では、重畳部７、８は、図１に示すように、第１折畳部３の折り線３ｄを含む直線よりも第１折畳部３側に突出して設けられる。
【００４８】
これによれば、折り畳まれた重畳部７、８が元に戻ろうとする復元力を、重畳部７、８が第１折畳部３の折り線３ｄを含む直線よりも第１折畳部３側に突出していない場合よりも大きくできる。よって、第２折畳部４及び第３折畳部５の衝撃吸収力をより高めることができる。
【００４９】
以上述べたように、本実施形態の包装用シート１は、物品１０が配置される配置部２と、配置部２から延伸して設けられ、配置部２の物品１０が配置された面側に向けて折り畳まれた状態で配置部２との間に物品１０を収容する収容部２０を形成する第１から第４の折畳部３〜６と、を備え、第１折畳部３は、隣り合って設けられた第２折畳部４の折り線４ａを含む直線から離間した位置で第２折畳部４側の辺３ｂが配置部２と接続され、第２折畳部４の折り線４ａにおける第１折畳部３側の端部に、第２折畳部４を折り畳む際に配置部２と第２折畳部４との間に向けて折り畳まれる重畳部７が設けられる。
【００５０】
包装用シート１で物品１０を包装する際は、第１折畳部３を配置部２の物品１０が配置された面側に向けて折り畳んだ後に、第２折畳部４を配置部２の物品１０が配置された面側に向けて折り畳む。
【００５１】
第２折畳部４を折り畳む際には、配置部２と第２折畳部４との間に向けて重畳部７が折り畳まれるので、折り畳まれた重畳部７が元に戻ろうとする復元力により第２折畳部４が持ち上げられて収容された物品１０と第２折畳部４との間に空間が確保される。これによれば、外部からの衝撃を第２折畳部４で吸収できる。よって、収容される物品に対する包装用シート１の保護性能が向上する。
【００５２】
また、第１折畳部３は、隣り合って設けられた第３折畳部５の折り線５ａを含む直線から離間した位置で第３折畳部５側の辺３ｃが配置部２と接続され、第３折畳部５の折り線５ａにおける第１折畳部３側の端部に、第３折畳部５を折り畳む際に配置部２と第３折畳部５との間に向けて折り畳まれる重畳部８が設けられる。
【００５３】
これによれば、第２折畳部４が第１折畳部３に対して浮き上がる部分と第３折畳部５が第１折畳部３に対して浮き上がる部分とが重複する範囲が少ないので、より広い範囲において、第２折畳部４及び第３折畳部５と収容部２０に収容された物品１０との間に空間を確保できる。よって、物品１０の包装形態をコンパクトにしつつ衝撃を吸収する効果を広い範囲に発生させることができる。
【００５４】
また、重畳部７、８は、第１折畳部３の折り線３ｄを含む直線よりも第１折畳部３側に突出して設けられる。
【００５５】
これによれば、折り畳まれた重畳部７、８が元に戻ろうとする復元力を、重畳部７、８が第１折畳部３の折り線３ｄを含む直線よりも第１折畳部３側に突出していない場合よりも大きくできる。よって、第２折畳部４及び第３折畳部５の衝撃吸収力をより高めることができる。
【００５６】
また、第４折畳部６は、配置部２の第１折畳部３とは反対側に設けられる。
【００５７】
以上、本発明の実施形態について説明したが、上記実施形態は本発明の適用例の一つを示したものに過ぎず、本発明の技術的範囲を上記実施形態の具体的構成に限定する趣旨ではない。
【符号の説明】
【００５８】
１    包装用シート
２    配置部
３    第１折畳部
３ａ  窓部
３ｂ  辺
３ｃ  辺
３ｄ  折り線
４    第２折畳部
４ａ  折り線
５    第３折畳部
５ａ  折り線
６    第４折畳部
６ａ  折り線
６ｂ  帯部
６ｃ  帯部
６ｄ  折り線
６ｅ  折り線
７    重畳部
７ａ  折り線
７ｂ  折り線
７ｃ  折り線
８    重畳部
８ａ  折り線
８ｂ  折り線
８ｃ  折り線
９    ラベル
１０  物品
２０  収容部
【図１】
2018150078.tif 000003
【図２】
2018150078.tif 000004
【図３】
2018150078.tif 000005
【図４】
2018150078.tif 000006
【図５】
2018150078.tif 000007